(57)【要約】【課題】  フロントパネルや受光器自体の構造を改変することなく、受光器の受光部に至る絶縁沿面距離を増大させて満足のいく帯電防止作用を発揮させる。【解決手段】  配線基板５に搭載した受光器１に、柔軟でかつ透明な電気絶縁シート８としての袋体８’を被せて装着することにより、袋体８’で受光器１の全体を被覆して受光部１２に至る絶縁沿面距離を増大させる。受光窓６１に、受光部１２と袋体８’の受光部被覆部位８４とが重なり合って嵌入している。袋体８’を門形隔壁６３の内側に収容して受光器１からの抜出しを防いでいる。【選択図】        図１
2006054404.tif 000002
【特許請求の範囲】
【請求項１】
電気電子機器筐体の受光窓に受光器の受光部が臨んでなる遠隔制御用受光装置において、
配線基板に搭載されている上記受光器に、柔軟でかつ透明なポリエチレン樹脂で作られた電気絶縁シートとしての袋体を被せて装着することにより、その袋体の開き口の口縁を上記配線基板の板面に載架させていると共に、その袋体により上記受光器を被覆して上記筐体の表面から上記受光部に至る絶縁沿面距離を増大させてあり、
上記筐体に開設された上記受光窓に、上記受光器に突出状に具備されている上記受光部と上記袋体の受光部被覆部位とが重なり合って嵌入され、その袋体の上記受光器の周囲を覆っている筒状部位が、上記筐体に備わって上記受光器を収容している門形隔壁の内側に収容されていると共に、上記袋体の閉じた頂部に盗み凹所が備わっていてその頂部が上記門形隔壁の上壁と受光器の頂部との間に折畳み圧潰状態で収容されていることによってその袋体の受光器からの抜出しが防止されていることを特徴とする遠隔制御用受光装置。
【請求項２】
電気電子機器筐体の受光窓に受光器の受光部が臨んでなる遠隔制御用受光装置において、
上記受光器の全体を柔軟な電気絶縁シートで被覆することによって上記筐体の表面から上記受光部に至る絶縁沿面距離を増大させてあることを特徴とする遠隔制御用受光装置。
【請求項３】
上記電気絶縁シートが透明なポリエチレン樹脂でなる請求項２に記載した遠隔制御用受光装置。
【請求項４】
上記受光器を被覆している電気絶縁シートが、開き口を有して上記受光器に被せて装着された袋体でなる請求項２又は請求項３に記載した遠隔制御用受光装置。
【請求項５】
上記袋体の開き口の口縁が、上記受光器を搭載している配線基板の板面に載架されている請求項４に記載した遠隔制御用受光装置。
【請求項６】
上記筐体に開設された上記受光窓に、上記受光器に突出状に具備されている上記受光部と上記袋体の受光部被覆部位とが重なり合って嵌入されていると共に、その袋体の上記受光器の周囲を覆っている筒状部位が、上記筐体に備わって上記受光器を収容している門形隔壁の内側に収容されることによってその袋体の受光器からの抜出しが防止されている請求項５に記載した遠隔制御用受光装置。
【発明の詳細な説明】
【技術分野】
【０００１】
本発明は遠隔制御用受光装置、特に、静電気を帯電することによる電子部品の誤作動や静電破壊などを防止する所謂静電対策が講じられた遠隔制御用受光装置に関する。
【背景技術】
【０００２】
図５にＤＶＤドライブなどのディスク装置やテレビジョン受像機などに採用される遠隔制御用受光装置を示してあり、（Ａ）はその取付箇所の概略縦断側面図、（Ｂ）は同取付箇所の要部を（Ａ）のＶＢ矢視方向から見た概略背面図である。
【０００３】
この受光装置において、受光器１は配線基板５に起立状態で搭載されていて、その前端部に前向きに具備された受光部１２に光制御信号が到達すると、その信号が、受光器１に取り付けられている受光素子（不図示）によって検知されるようになっている。この受光器１を搭載した配線基板５は、装置筐体（不図示）に収容されて上記受光部１２が当該装置筐体の樹脂成形体でなるフロントパネル６に備わっている受光窓６１に嵌入状態で臨み、その受光窓６１の前側に、フロントパネル６に取り付けられたアクリル樹脂板でなるカバーパネル６２が配備されている。
【０００４】
この構成を備えた受光装置において、人の手指などの人体がフロントパネル６やカバーパネル６２などに接触するなどの状況が生じて静電気が受光器１の搭載箇所で放電すると、受光器１の受光素子や配線基板５に搭載されているその他の電気電子素子が静電気に帯電して誤作動したり静電破壊を起こしたりする。
【０００５】
そこで、従来より、このような静電気による悪影響が受光素子やその他の電気電子素子に及ばないようにするための対策（静電対策）が種々講じられていて、その静電対策の主なものは、フロントパネル６やカバーパネル６２から受光器１の受光素子に至る絶縁沿面距離を可及的長くして受光素子が帯電することを防ぐという対策である。たとえば、図５に示した受光装置では、上記絶縁沿面距離が、カバーパネル６２の表面や裏面、受光窓６１を通じて連続するフロントパネル６の表面や裏面などによって確保されるようになっている。
【０００６】
一方、リモートコントロール用受信部の構造として、キャビネットの受信窓に筒状の信号誘導部材を突出させ、その信号誘導部材の端部に受光素子を臨ませたものが提案されていて（たとえば特許文献１参照）、これによれば、信号誘導部材の外面によってある程度は絶縁沿面距離を増大させることが可能である。
【０００７】
また、空気調和機の受光装置として、断面コ字状の透光カバー又はシールド壁で受光素子の前面又は側面を覆うことによって、受光素子への静電気の放電を抑制するという技術が知られている（たとえば特許文献２、特許文献３参照）。
【特許文献１】特開平１０−２１０５７８号公報
【特許文献２】特開平１１−１４８６７６号公報
【特許文献３】特開平９−２３３５７７号公報
【発明の開示】
【発明が解決しようとする課題】
【０００８】
しかしながら、図５を参照して説明した受光装置のように、受光器１の前側にフロントパネル６やフロントパネル６に取り付けたカバーパネル６１が配備されているだけの構成では、装置の小形化や受光器１を含む電気電子素子の高密度実装化などによって受光素子に至る絶縁沿面距離を長く確保することに限界が生じ、満足のいく静電対策が行われているとはいえなかった。
【０００９】
そこで、図６に比較例として示したように、フロントパネル６に、受光器１の上側と左右両側とを取り囲む門形隔壁６３を一体成形によって具備させ、かつ、受光器１の受光部１２をその前側で覆う透明な樹脂シート片（たとえばポリカーボネート樹脂製シート）７を、フロントパネル６の透光窓形成箇所である平板部６４と受光器１の前面との間に挾み込むという対策を試みた。このような静電対策を講じると、受光窓６１の外側から内側に向かう静電気の放電経路が樹脂シート片７によって遮られ、その樹脂シート片７の表面と裏面とが絶縁沿面距離を増大させることに役立ち、しかも、門形隔壁６３が静電気の放電経路を遮るシールド壁として機能することによってある程度の有用な静電対策となり得る。
【００１０】
しかしながら、樹脂シート片７として自立性を持たない柔軟性に富むものを用いると、球面形状の受光部１２に対する形状馴染み性が高くなり、その受光部１２の表面に樹脂シート片７が重なり状に沿うという長所が発揮されるものの、その樹脂シート片７を上記平板部６４と受光器１の前面との間に挾み込むときに樹脂シート片７が自立させておくことができないので作業性が悪くなるという短所や、事後的に樹脂シート片７が自重で形崩れして初期形状を維持させることが難しいという短所などが知見された。これに対し、樹脂シート片７として自立性を持つ腰の強いものを用いると、挾み込むときの作業性は改善されるものの、球面形状の受光部１２に対する形状馴染み性が悪いために、樹脂シート片７の反発力で受光部１２に無理な押圧力が加わって受光器１が傾いたり半田剥離を生じるおそれが生じたりするということが知見された。
【００１１】
一方、特許文献１に記載されている技術を適用して満足のいく静電対策を講じようとすると、筒状の信号誘導部材を十分に長くして沿面距離を稼ぐ必要があり、そのようにすると、信号誘導部材の端部に臨ませる受光素子の位置が後退して装置の小形化や受光器を含む電気電子素子の高密度実装化などが制約を受けることになるので好ましくない。また、特許文献２や特許文献３に記載されている技術を適用するには、図５で説明したフロントパネル６などの構造を改変することが不可欠になって大幅なコスト高を招くことになるので好ましくない。その上、断面コ字状の透光カバー又はシールド壁の部品コストが高くつくこともコスト高をさらに助長することになる。
【００１２】
本発明は、以上の状況の下でなされたものであり、フロントパネルなどの筐体の形状の如何に関係なく静電対策を講じることが可能であるために図５で説明したフロントパネル６や受光器１自体の構造を改変することなくそのまま採用することができるにもかかわらず、絶縁沿面距離を図５や図６で説明したものに比べて大幅に増大させて満足のいく静電対策の講じられたものでありながら、静電対策を講じる場合の作業性が良好で、事後的な不都合を生じず、受光器に無理な力が加わるおそれがなく、コスト高にもつながりにくい遠隔制御用受光装置を提供することを目的とする。
【課題を解決するための手段】
【００１３】
本発明に係る遠隔制御用受光装置は、電気電子機器筐体の受光窓に受光器の受光部が臨んでなる遠隔制御用受光装置において、上記受光器の全体を柔軟な電気絶縁シートで被覆することによって上記筐体の表面から上記受光部に至る絶縁沿面距離を増大させてある。
【００１４】
この構成であれば、電気絶縁シートが受光器の全体を被覆しているので、筐体の表面から受光部に至る絶縁沿面距離が図５で説明したものに比べて大幅に増大して受光素子の帯電防止作用が満足のいく程度に発揮される。また、電気絶縁シートが柔軟であるためにフロントパネルなどの筐体の形状の如何に関係なく静電対策を講じることが可能であるという優れた利点があることに加え、受光部に対する形状馴染み性が高くなって受光部の表面に電気絶縁シートが重なり状に沿うという長所が発揮され、併せて、受光部に無理な押圧力が加わって受光器が傾いたり半田剥離を生じるおそれが生じたりすることもなくなる。さらに、電気絶縁シートが柔軟性に富んでいるために自立性を持たないものであるとしても、その電気絶縁シートで受光器の全体を被覆することによって受光器が電気絶縁シートを保形することに役立つようになる。そのため、受光器を被覆した電気絶縁シートが形崩れして組立作業性などが悪くなるという事態や、事後的に電気絶縁シートが自重で形崩れして初期の帯電防止作用が発揮されなくなるという事態が生じない。
【００１５】
本発明では、上記電気絶縁シートが透明なポリエチレン樹脂でなるという構成を採用することができ、これによれば、透明なポリエチレン樹脂が汎用樹脂であるために、電気絶縁シートを安価にかつ容易に入手することが可能になって部品コストを抑制することに役立つ。
【００１６】
本発明では、上記受光器を被覆している電気絶縁シートが、開き口を有して上記受光器に被せて装着された袋体でなることが望ましい。これによれば、袋体の開き口を開いて受光器に被せるという作業を行うだけで、電気絶縁シートで受光器の全体を確実に被覆することができるためにその作業性が向上するだけでなく、事後的な電気絶縁シートの形崩れも生じにくい。
【００１７】
本発明では、上記袋体の開き口の口縁が、上記受光器を搭載している配線基板の板面に載架されていることが望ましく、これによれば、絶縁沿面距離を最大限度に長く確保することが可能になる。
【００１８】
本発明では、上記筐体に開設された上記受光窓に、上記受光器に突出状に具備されている上記受光部と上記袋体の受光部被覆部位とが重なり合って嵌入されていると共に、その袋体の上記受光器の周囲を覆っている筒状部位が、上記筐体に備わって上記受光器を収容している門形隔壁の内側に収容されることによってその袋体の受光器からの抜出しが防止されている、という構成を採用することが望ましい。これによれば、受光部の表面全体に電気絶縁シートが重なり状に沿い、また、電気絶縁シートで受光器の全体が被覆されて十分に長い絶縁沿面距離が確保されるだけでなく、門形隔壁によって袋体でなる電気絶縁シートが受光器から抜け落ちるという事態が起こり得なくなって、静電対策による初期の帯電防止作用が長期に亘って維持されて静電気防止作用の信頼性が向上する。
【００１９】
本発明に係る遠隔制御用受光装置は、電気電子機器筐体の受光窓に受光器の受光部が臨んでなる遠隔制御用受光装置において、配線基板に搭載されている上記受光器に、柔軟でかつ透明なポリエチレン樹脂で作られた電気絶縁シートとしての袋体を被せて装着することにより、その袋体の開き口の口縁を上記配線基板の板面に載架させていると共に、その袋体により上記受光器を被覆して上記筐体の表面から上記受光部に至る沿面絶縁距離を増大させてあり、上記筐体に開設された上記受光窓に、上記受光器に突出状に具備されている上記受光部と上記袋体の受光部被覆部位とが重なり合って嵌入され、その袋体の上記受光器の周囲を覆っている筒状部位が、上記筐体に備わって上記受光器を収容している門形隔壁の内側に収容されていると共に、上記袋体の閉じた頂部に盗み凹所が備わっていてその頂部が上記門形隔壁の上壁と受光器の頂部との間に折畳み圧潰状態で収容されていることによってその袋体の受光器からの抜出しが防止されている、という構成を採用することによっていっそう具体化される。この発明の作用などは後述する実施形態を参照してさらに詳細に説明する。
【発明の効果】
【００２０】
以上のように、本発明に係る遠隔制御用受光装置では、フロントパネルなどの筐体の形状の如何に関係なく静電対策を講じることが可能であるという卓越した効果が奏されることに加え、電気絶縁シートによって受光器の全体を被覆することによって筐体の表面から受光部に至る絶縁沿面距離を増大させているので、満足のいく帯電防止作用が発揮されて受光素子や配線基板上の電気電子阻止の誤作動や静電破壊が防止される。また、柔軟な電気絶縁シートを用いているので、電気絶縁シートで受光器を被覆するという静電対策のための作業を容易にかつ確実に行うことができ、さらに、柔軟な電気絶縁シートを用いているにもかかわらず、事後的な電気絶縁シートの形崩れによって初期の帯電防止作用が損なわれるという事態も起こりにくい。
【００２１】
そのほか、電気絶縁シートとしてポリエチレン樹脂で作られた袋体を用いると、電気絶縁シートという部品が追加されるとしても、その追加部品のコストが安く抑えられて静電対策を講じることによる装置全体のコストアップが最少限度に抑えられるという利点もある。
【発明を実施するための最良の形態】
【００２２】
図１は本発明の実施形態に係る遠隔制御用受光装置を示し、（Ａ）は受光装置の取付箇所の概略縦断側面図、（Ｂ）は同取付箇所の要部を（Ａ）のＩＢ矢視方向から見た概略背面図である。また、図２は受光器１を電気絶縁シート８で被覆する手順の初期段階の説明図、図３は電気絶縁シート８で被覆された受光器１を示しており、（Ａ）は概略側面図、（Ｂ）は（Ａ）のＩＩＢ線矢視方向から見た概略背面図である。
【００２３】
この実施形態において、受光装置の取付箇所の構成は、図５で説明したものと同様である。すなわち、この実施形態では、図５で説明した従来の取付箇所の構成を改変することなくそのまま採用しており、その構成と相違する点は、静電対策として電気絶縁シート８を組み込んである点だけである。したがって、説明の重複を回避するために、図５で説明した要素と同一の要素に同一の符号を付して詳細な説明を省略することとする。
【００２４】
図４に示したように、この実施形態において、電気絶縁シート８は一端に開き口８１を備えた袋体８’でなる。この袋体８’は、柔軟でかつ透明なポリエチレン樹脂シートを袋状に形成したものであり、図示の袋体８’は、２つ折りしたポリエチレン樹脂シートの重なり縁部の開き口８１の形成箇所以外の箇所の全体を熱溶着することによって形成されていて、開き口８１の形成箇所の反対側の端部、すなわち袋体８’の閉じた頂部８２に盗み凹所８３を具備させてある。
【００２５】
袋体８’でなる電気絶縁シート８は受光器１の全体を被覆して筐体としてのフロントパネル６の表面から受光部１２に至る絶縁沿面距離を増大させることに用いられる。受光器１の全体を電気絶縁シート８で被覆する手順を例示すると、たとえば図２に説明的に示したように、袋体８’の開き口８１を開いて配線基板５に起立姿勢で搭載されている受光器１の上に位置させた後、図２（Ａ）（Ｂ）のように、その開き口８１を経て袋体８’を受光器１に上から被せる。受光器１には、上記した受光部１２や受光素子のほか、配線基板５のパターンに接続された電極ピン１３、フレーム部材１ａなどが含まれていて、それらの全部に袋体８’を被せることによって受光器１の全体が袋体８’でなる電気絶縁シート８で被覆される。受光器１の全体に袋体８’を被せて装着することにより、袋体８’の開き口８１の口縁８１ａが配線基板５に載架され、かつ、袋体８’の頂部８２が受光器１の頂部１４の上方へ突出し、その頂部８２の突出箇所の背部に盗み凹所８３が位置するようになる。
【００２６】
こうして受光器１に袋体８’を被せた後、図１に示したフロントパネル６を、その受光器１を搭載した配線基板５が組み付けられている筐体（不図示）の前面に取り付け、さらに、そのフロントパネル６にカバーパネル６２を取り付ける。このようにすると、図１のように、フロントパネル６の平板部６４に備わっている受光窓６１に受光部１２と共にその受光部１２を覆っている袋体８’の趣向部被覆部位８４が嵌入状態で臨む。しかも、袋体８’の受光部被覆部位８４が受光窓６１の縁部６１ａに当たって絞られるために、その受光部被覆部位８４が受光部１２の球面形状に重なり状に沿う形状に保形される。また、袋体８’の受光器１の周囲を覆っている筒状部位８５や頂部８２が、フロントパネル６に備わって受光器１を収容している門形隔壁６３の内側に収容される。このため、袋体８’が受光器１と門形隔壁６３と配線基板５とによって囲まれた空間内で位置決めされて保形された状態に保たれるようになり、事後的に袋体８’に形崩れが生じたり、袋体８’が受光器１からその上方へ抜け出したりして絶縁沿面距離が変動するという事態が起こりにくくなる。また、この実施形態では、袋体８’の頂部８２には盗み凹所６３を形成してあるので、フロントパネル６を筐体に取り付ける際に、その頂部８２が門形隔壁６３により後方へ容易に折り曲がって門形隔壁６３の上壁６３ａと受光器１の頂部１４との間に折畳み圧潰状態で収容されるようになり、このことによっても、袋体８’の受光器１からの抜出しが防止されるようになる。
【００２７】
以上のように構成された受光装置によると、袋体８’でなる電気絶縁シート８によって受光器１の全体が被覆されているので、袋体８’の外面と内面とによってフロントパネル６と受光器１の受光素子との間の絶縁沿面距離が十分に長く確保されて満足のいく静電対策となり、受光素子や配線基板上の電気電子部品についての帯電防止作用が確実に発揮され、その信頼性も向上する。しかも、電気絶縁シート８がポリエチレン樹脂でなる安価な袋体８’によって形成されているので、フロントパネル６やカバーパネル６２といった筐体の構成要素の形状に変更を加えることなく、しかも、コストアップをほとんど伴うことなく、信頼性の高い静電対策となっている。
【００２８】
この実施形態では、電気絶縁シート８として袋体８’を採用したけれども、この点は、電気絶縁シート８を一枚の柔軟なポリエチレン樹脂シートを用いてもよく、その場合にはポリエチレン樹脂シートで受光器１の全体を包み込むように被覆しておけばよい。ただし、袋体８’を用いると、電気絶縁シート８を受光器１に装着するときの作業性に優れ、しかも、受光器１の受光部１２が一層の電気絶縁シート８で覆われるだけになって受光性能に悪影響が及ばないという利点がある。
【図面の簡単な説明】
【００２９】
【図１】本発明の実施形態に係る遠隔制御用受光装置を示し、（Ａ）は受光装置の取付箇所の概略縦断側面図、（Ｂ）は同取付箇所の要部を（Ａ）のＩＢ矢視方向から見た概略背面図である。
【図２】受光器を電気絶縁シートで被覆する手順の初期段階の説明図である。
【図３】電気絶縁シートで被覆された受光器を示し、（Ａ）は概略側面図、（Ｂ）は（Ａ）のＩＩＢ線矢視方向から見た概略背面図である。
【図４】袋体でなる電気絶縁シートの概略斜視図である。
【図５】従来の遠隔制御用受光装置を示し、（Ａ）はその取付箇所の概略縦断側面図、（Ｂ）は同取付箇所の要部を（Ａ）のＶＢ矢視方向から見た概略背面図である。
【図６】比較例としての遠隔制御用受光装置の取付箇所の概略縦断側面図である。
【符号の説明】
【００３０】
１  受光器
５  配線基板
６  フロントパネル（筐体）
８  電気絶縁シート
８’  袋体
１２  受光部
１４  受光器の頂部
６１  受光窓
６３  門形隔壁
６３ａ  門形隔壁の上壁
８１  袋体の開き口
８１ａ  袋体の開き口の口縁
８２  袋体の閉じた頂部
８３  盗み凹所
８４  受光部被覆部位
８５  筒状部位
【図１】
2006054404.tif 000003
【図２】
2006054404.tif 000004
【図３】
2006054404.tif 000005
【図４】
2006054404.tif 000006
【図５】
2006054404.tif 000007
【図６】
2006054404.tif 000008